(57)【要約】【課題】建築物およびコンクリート構造物の漏水の原因箇所を、容易且つ確実に、特定することができる漏水の検査工法を提供する。【解決手段】建築構造物の不具合箇所やクラック面を、漏水の浸入口として選定し、ブロックごとに区画する。ブロック化した漏水の選定箇所表面に、可視化材料の食用色素の検査用液を散布する。検査用液の可視化材料は、白色光中に含まれる固有の波長帯域の色の三原色を、水溶液にしており、漏水の浸入口より浸透して、躯体内部の亀裂を伝わり下方部に流出する。可視化材料は色べつに識別して漏水の浸入口と出口を特定する。【選択図】  図１
2004354124.tif 000002
【特許請求の範囲】
【請求項１】
可視化材料の食用タール色素を検査用液とする。建築物およびコンクリート構造物（以下、工作物と称す）の漏水箇所の検査工法。
予め、工作物の漏水の浸入口と選定した不具合箇所やクラック面をブロックごとに区画する。その後、色素（カラー）の検査用液を、ブロック化した１区画の漏水の選定箇所表面に散布する。その後、検査用液は漏水の浸入口より浸透し躯体内部の亀裂を伝わり、工作物の下方部に流出する特徴がある建築物およびコンクリート構造物の漏水検査工法。
【請求項２】
上記、可視化材料の食用タール色素は色の三原色を用いて水溶液にする。これらの水溶液を検査用液として、予め工作物の漏水の浸入口と選定した不具合箇所やクラック面を、ブロック化にして１区画ごと赤、青、緑色の三原色の検査用液を高圧散水機を用いて、区画した漏水の選定箇所表面に散布する。その後、検査用液のカラーが、漏水の浸入口より浸透し躯体内部の亀裂を伝わり、工作物の下方部に流出する。流れだした可視化材料は、色べつに割り出し識別する特徴がある建築物およびコンクリート構造物の漏水検査工法。
【請求項３】
上記、工作物の漏水の選定箇所が複数あり、又面積が広い場合等ブロック化する１区画の面積は３．３（平方メートル）ごとに区切る。その際、他の区画ブロックとの境に、剥離が容易なペースト状のシールを塗布する。その上面に塩化ビニールの止水板を、立てて仕切り堰止めする。
漏水の選定箇所のブロック化。不具合箇所やクラック面は、１区画ごとに区切ることにより隣接する区画面に、他の検査用液の赤、青、緑色の三原色が互いに混じるのを、防ぐ特徴がある建築物およびコンクリート構造物の漏水検査工法。
【請求項４】
上記、工作物の漏水の選定箇所のブロック化、１区画ごとに散布する
色の三原色は、漏水の浸入口より浸透し下方部に流れでる。色の三原色は、隣接する区画面より躯体内部の複数の亀裂を伝わり、互いに混じり、既存漏水部位から流出し色の変化を顕す。
躯体内部の複数の亀裂、漏水の水みち、流れの可視化材料は、互いに混じり合うことにより色の対比を見ることができる。即ち、色相環の青紫、青緑、橙色の互いに混じった着色流体は色べつに、識別することができる特徴がある建築物およびコンクリート構造物の漏水検査工法。
【請求項５】
上記、工作物の既存漏水部位より流出した検査用液は、食用タール色素で、水溶液からなる色の三原色である。これらの水溶液は、白色光中に含まれる固有の波長帯域を持つものである。
工作物の漏水の浸入口と選定した不具合箇所やクラック面を、予めブロック化にして１区画を、Ａ点とする面に検査用液のブルー色を散布し浸透すると、漏水の水みちを伝わり流出した可視化のブルー色は、漏水位置Ａ´点を顕色する。可視化材料のブルーカラーで色分けされた検査用液は、一筋の漏水路を描く。即ちＡ点からＡ´点に流出した着色流体の漏水の水みちであり、点と点で結ぶ流れの可視化である。
漏水の浸入口と、水みちと、漏水位置点等を結び、カラーで識別して特定することを、特徴とする建築物およびコンクリート構造物の漏水検査工法。
【発明の詳細な説明】
【０００１】
【発明が属する技術分野】
本発明は、建築物およびコンクリート構造物の屋上、屋根、床、外壁、共用廊下、バルコニー、自走式駐車場、高速道路高架橋、ダム、等の漏水の浸入箇所の特定に関わるものである。さらに本発明は、検査工法に関するものである。
【０００２】
【従来の技術】
従来、建築構造物の重要な役割のなかに、地震や暴風雨などから、構造上の機能を維持することと同じく、重要度の高いものに建築物の漏水防止がある。
漏水という不快な現象は、建築物にさまざまな悪影響を及ぼす。建物の形状の変化や腐食、凍結、細菌、等による建物の劣化である。また、漏水が原因で建物の機能を停止させるような、重要な部位の漏水事故もおきており、漏水トラブルはあとが絶えないのが現状である。
【０００３】
とくに、コンクリート構造物においては、地震や暴風雨、直射日光による劣化、熱収縮、乾燥収縮、熱膨張、等による、構造的な亀裂やはがれが、発生することはさけられないことでもある。
近年、山陽新幹線、新倉敷、福山間の今立トンネル（岡山県笠岡市）で壁面のモルタルが、長さ約３（ｍ）幅２４（ｃｍ）厚さ６．５（ｃｍ）にわたり、はがれ落ちた原因は、漏水で壁が劣化した可能性が高いとみて、トンネル内を点検。またＪＲ西日本は、１９９９年に同様のはく落が、相次いだため、総点検に着手した。
【０００４】
上記、コンクリート構造物の性質上、躯体内部に発生する微細な空隙や、毛細管現象は、表面部分の亀裂を見てもわからず、漏水の浸入口と出口が割り出しにくい、一時しのぎに漏水の出口をエポキシ樹脂等で、ふさぐようなことをしても結局、別の箇所が新しい漏水の出口になってしまい、内装材等を汚す被害を、拡大することにもなりかねない、かえって経済的にまずい結果になる恐れがある。
【０００５】
上記、漏水の浸入口を、発見する方法として適当なものがなく、結局は目安をつけて部分的に補修し、それで止まればもうけものだということになる。実際は、部分補修と降雨後の様子の観察の繰り返しであり、住人不在の進め方が多い。このような状況のなかで、漏水の原因箇所、即ち（入口と出口）を発見する方法。（例えば、特公平６−９４７３７号公報）
【０００６】
建造物に紫外線にのみ発光する、蛍光増白剤の検査液を放水することにより、建造物の内部に浸入した検査液に、水銀灯を照し発光させて検査液が、伝わった通路を描き出すという検査方法が開示されている。しかし上記、公知例においては以下の点で不十分である。
【０００７】
建造物の上方から検査液を、放水するときの面積が広すぎること、また漏水の浸入箇所が選定されず、大まかに放水するため、亀裂面より浸入した発光液が漏水部位より流出しても、浸入口の割り出しが複雑になる。また漏水部位を解体しないと、発光液の経路を割り出すことができないことが、発明者において実施された。
【０００８】
上記、検査用液として常温水に、発光物質である蛍光増白剤、商品名カヤホールＰＡＳリキッド（商標：日本化薬株式会社）ジアミノスチルベン型有機化合物を、水で１００倍に希釈して検査用液とした。それを室内で建築基材の壁紙クロス、ベニア板、金属鉄板、銅板、コンクリートブロック、布地、樹脂製板、等に付着させた。その部分を商品名ブラックライト水銀ランプ（商標：東芝ライテック株式会社）から、市販されているブラックライトで照した。
【０００９】
上記、公知例においては次のような欠点が判明した。
１検査液の放水面積が広すぎること。２放水が大まかすぎて検査精度が低い。３検査液に水銀灯を照す発光距離が短い、約３０（ｃｍ）の位置で、紫外波長部の光線を吸収し発光反応した。４検査液の発光色が１色のため複数箇所の亀裂がある場合、浸入口と出口を特定することができない。５屋根裏などの暗所では発光するが、屋外や明かりがついた部屋では、発光機能が落ちる。
以上の点を鑑がみ上記公知例には容易に漏水の原因箇所、即ち（入口と出口）を素早く発見するには、不十分で作業の手間が掛かることが判明した。
【００１０】
【発明が解決しようとする課題】
本発明は、上記従来の技術に於ける欠点や問題点を、解決するとともにその目的とするところは、建築物およびコンクリート構造物の漏水の浸入口と出口を割り出し、原因箇所を特定することにある。しかも、安い費用で熟練を要することなく、確実にできる漏水の検査工法を提供する。
【００１１】
【課題を解決するための手段】
上記、課題を解決するために様々な、実施と検証を重ねた結果、本発明者は先ず、建築構造物に於ける漏水の原因が、地震や暴風雨の影響で躯体が揺れ、主要な構造部に亀裂が発生する、その亀裂に浸入する雨水に着目した。
漏水の原因は、建築物のすき間から浸入する雨水であることから、同じ特徴をもつ液体による流れの検査が、適していることを見出した。
漏水は外的要因で発生する場合が多く、漏れは、風向きによっても変わることから、これを他の検査方法で再現することはできないと思われる。検査用液は、雨水と同じ流動性のあるものが好適で、後に痕跡を残さず無公害で人体などに影響のない方法が望ましい。
【００１２】
本発明は、以下の特徴を有する。本第１の発明は、可視化材料の食用タール色素を検査用液としていることである。
先ず、建築物の不具合箇所やクラック面を、漏水の浸入口として選定しブロックごとに区切る。その後、ブロック化した１区画の漏水の選定箇所表面に色素（カラー）の検査用液を、高圧散水機を用いて散布する。その際、１区画ごとにブロック化することで漏水の浸入箇所の選定誤差を、少なくすることができて、検査精度を上げることができる。高圧散水機で散布した検査用液は、漏水の浸入口より浸透して躯体内部の亀裂を伝わり、建築物の下方部に流出する特徴がある検査工法である。
【００１３】
本第２の発明は、可視化材料の食用タール色素は、色の三原色を用いて水溶液にする。これらの水溶液を検査用液として、
予め建築物の漏水の浸入口と選定した不具合箇所やクラック面を、ブロック化にして１区画ごと赤、青、緑色の三原色の検査用液を高圧散水機を用いて、区画した漏水の選定箇所表面に散布する。その後、検査用液のカラーが漏水の浸入口より浸透し、躯体内部の亀裂を伝わり、建築物の下方部に流出する。流れだした可視化材料は、色べつに識別することで複数箇所の亀裂がある場合でも、浸入口と水みちを割り出すことができる検査工法である。
【００１４】
本第３の発明は、建築物の漏水の選定箇所が複数ある場合、又は面積が広い場合、ブロック化する１区画の面積は３．３（平方メートル）ごとに区切る。その際、他の区画ブロックとの堺に剥離ができるペースト状のシールを塗布する。その上面に塩化ビニールの止水板を立てて仕切り堰止めする。１区画ごとに堰止めすることで、隣接する区画面に他の検査用液の赤、青、緑色の三原色が互いに混じるのを防ぐ特徴がある検査工法である。
【００１５】
本第４の発明は、建築物の漏水の選定箇所を、ブロック化にして１区画ごとに散布する色の三原色は、漏水の浸入口より浸透し下方部に流出する。色の三原色は、隣接する区画面より躯体内部の複数の亀裂を伝わり、互いに混じった場合でも既存漏水部位から流出する色の変化を見ることができる。
躯体内部の複数の亀裂や、漏水の水みちを流れの可視化材料は、互いに混じり合うことにより色の対比も識別できる特徴がある。即ち、色相環の青紫、青緑、橙色の互いに混じった着色流体の検査工法である。
【００１６】
本第５の発明は、建築物の既存漏水部位より流出する検査用液は、食用タール色素で水溶液からなる色の三原色である。これらの水溶液は、白色光中に含まれる固有の波長帯域の可視化材料を用いる。
建築物の漏水の浸入口と選定した不具合箇所やクラック面を、予めブロック化にして１区画をＡ点とする面に検査用液のブルー色を散布すると、漏水の水みちを伝わり流出した可視化のブルー色は、漏水位置Ａ´点を顕色する。可視化材料のブルーカラーで色分けされた検査用液は、一筋の漏水路を描く、即ちＡ点からＡ´点に流出した着色流体の漏水の水みちであり、点と点で結ぶ、流れの可視化である。
漏水の浸入口と、水みちと漏水位置点、等を結びカラーで識別して特定することができる漏水の検査工法である。
【００１７】
【発明の実施の形態】
以下、本発明の実施の形態について施工手順を含め、図面に基づき説明する。本発明に関わる工法を適用するうえで、説明の都合上、コンクリート構造物の漏水検査を施工例とした。
コンクリート構造物の屋上から漏水がある場合、漏水はコンクリートの不具合箇所（亀裂）面より、浸入して防水層の亀裂をぬけて居室内に漏れる。
【００１８】
図１は、コンクリート構造物の屋上の施工、検査例を示すもので、図中１はコンクリート躯体、２は押えコンクリート、３はコンクリートスラブ、４はコンクリートの亀裂（漏水の浸入口）、５は防水層の亀裂（漏水箇所）を示している。
コンクリート構造物において防水層５に亀裂がある場合、コンクリート亀裂４から居室内に漏水がみられる、このような場合、従来の技術では、建造物の屋根や上部の全面に発光液からなる検査液を放水して、流出するのを待つのである。
【００１９】
然し、本発明においては、図１の押えコンクリート２の面を、１区画３．３（平方メートル）ごとにブロック化にして区切り、その境に剥離ができるペースト状のシールを塗布し、その上面に塩化ビニールの止水板を立てて堰止めする。
本発明の検査工法において、重要なことは、漏水の選定箇所を１区画ごとにブロック化することで、漏水の侵入箇所の選定誤差を少なくする特徴がある。従って、漏水の浸入口を確定する場合の精度を上げることができる検査工法である。さらに本発明は、複数の要素から構成されており、従来の技術等にはない工法を実施の形態にしている。
【００２０】
さらに本発明の、建築物およびコンクリート構造物の漏水検査工法について、実施の形態を説明する。
本発明の漏水検査工法は、建築構造物の不具合箇所を、予めブロック化にして、１区画、面に所定の検査用液を高圧散水機を用いて散布する。検査用液は、漏水の浸入口である亀裂面より、浸透して躯体内部の亀裂を伝わり、建築物の下方部に流出する１つの局面により構成される。
【００２１】
建築物の下方部に流出する検査用液は、可視化材料の食用タール色素を用いて水溶液にする。その際、常温の水で約４００倍に希釈して使用する。
食用タール色素は、食品衛生法に基づく食品添加物であり人体などに影響がなく、本発明の実施の形態において最も好ましく、且つ可視化材料として、構造物に一時的な色を与え、光を吸収して流れの可視化を見る、物理的状態に好適であることから、検査用液として用いることにした。
【００２２】
上記、検査用液の可視化材料の選定に関しては、漏水検査の視点から、一時的にマーカー程度の識別ができること、その後容易に消色ができて、基材等に痕跡を残さず、無公害で人体などに影響のないことを条件に、色素の選定を試みた。構成染料種属としては、直接染料、酸性染料、反応染料、および食用タール色素、等のなかから、実施の形態に最も好適であるものを検査用液とした。
【００２３】
より具体的には、食用タール系色素  商品名．ダイワ食用色素、食用赤色１０２号、食用青色１号、食用緑色３号（商標：ダイワ化成株式会社）から商品化されて市販されており容易に検査用液として製作することができる。
【００２４】
上記、検査用液を、建築物およびコンクリート構造物の、漏水の浸入口と選定した不具合箇所やクラック面に、１区画ごとブロック化にして、図１Ａブロック、Ｂブロック、Ｃブロック、各面積は３．３（平方メートル）ごとに区切る。その際、各ブロックとの境に剥離ができるペースト状のシールを塗布し、その上面に塩化ビニールの止水板を立てて仕切り堰止めする。図１Ｃブロックの４はコンクリートの亀裂、５は防水層の亀裂を示している。
【００２５】
上記、図１のＣブロックの面に、可視化材料の緑色の検査用液を散布すると、コンクリート亀裂４から居室内に緑色の検査用液の流出がみられる。
本発明に関わる漏水検査工法を説明するうえで、都合上、屋上平面の施工例にしているが、垂直面や、曲面部分などの漏水検査の場合には、高圧散水機の吹き出しノズルに、検査用液が飛び散らないようにできる合成ゴムのアタッチメントを、取り付けることで飛散を防ぐことができる。また可視化材料の検査用液は、常温の水で約４００倍に希釈しており、建築物に付着させても塩素系の漂白剤と、水を併用して、容易に脱色ができて基材等に痕跡を残さないことが、発明者において実施されている。本発明の実施の形態に最も好適である可視化材料を、検査用液としている。
【００２６】
【実施例】
以下、本発明の一実施例を図面に基づき説明する。
本実施例の漏水検査工法は、図１のコンクリート構造物の屋上の検査例を示すもので、４はコンクリートの亀裂、５は防水層の亀裂を示している。コンクリート構造物の防水層５に亀裂がある場合、コンクリート亀裂４から居室内に漏水がみられる。実施例においては、図１の押えコンクリート２の面を、１区画３．３（平方メートル）ごとに、ブロック化にして区切り、その境に剥離ができるペースト状のシールを塗布する。その上面に塩化ビニールの止水板を立てて堰止めする工法である。
【００２７】
さらに本実施例では、図１の漏水の選定箇所をＡブロック、Ｂブロック、Ｃブロックごとに区切っており、Ｃブロックを選定箇所として、可視化材料の緑色の検査用液を高圧散水機で散布した。その後検査用液の可視化の緑色が、コンクリート構造物の躯体内部の亀裂を伝わり、既存漏水部位、図１の４コンクリートの亀裂を浸透して、居室内に流出する１つの局面を、可視化材料である緑色の検査用液で識別した。
【００２８】
上記、実施例のＣブロック面に、集中的に散布した可視化材料は緑色の検査用液であり、居室内で識別された１つの局面の配置を、Ｃブロックが描いた。即ち漏水位置の点と点で結ぶ流れの可視化である。
本実施例の構成要素は、漏水の選定箇所のブロック化であり、１区画ごとに散布する色の三原色は、漏水の浸入口より浸透して居室内に流れでる。実施例ではさらに隣接するＡブロック、Ｂブロックにそれぞれ赤・青の検査用液を散布した。
【００２９】
以上のように上記、実施例の漏水検査工法を用いれば、漏水の原因箇所である浸入口と、出口を、容易且つ確実に特定することができる。従って、必要な部分のみに対して補修を行うことができ、工事にかかる費用と、期間を低減することができる。
【００３０】
【発明の効果】
本発明は、上述した通りであり、本発明に関わる検査工法によれば、建築構造物の漏水の選定箇所に、可視化材料の検査用液を散布することにより、漏水の原因箇所を、容易且つ確実に特定することができる。従って、防水の補修等における期間や費用を、低減することができる実用的な検査工法である。
【図面の簡単な説明】
【図１】本発明に関わる検査工法をコンクリート構造物に、実施した場合の説明図である。
【図２】図１のＣブロックの拡大断面図である。
【図３】図１のコンクリート構造物の断面図である。
【図４】図３の止水板の拡大断面図である。
【図５】検査用液、飛散防止アタッチメントの斜視図である。
【図６】図５の底面図である。
【符号の説明】
１コンクリート躯体
２押えコンクリート
３コンクリートスラブ
４コンクリートの亀裂
５防水層の亀裂
６検査用液及び高圧散水機
７剥離型ペースト状シール材
８塩化ビニール止水板
９検査用液飛散防止アタッチメント
１０アタッチメントの低面
【図１】
2004354124.tif 000003
【図２】
2004354124.tif 000004
【図３】
2004354124.tif 000005
【図４】
2004354124.tif 000006
【図５】
2004354124.tif 000007
【図６】
2004354124.tif 000008
【手続補正書】
【提出日】平成16年5月13日(2004.5.13)
【手続補正１】
【補正対象書類名】明細書
【補正対象項目名】請求項２
【補正方法】変更
【補正の内容】
【請求項２】
上記、可視化材料の食用タール色素は色の三原色を用いて水溶液にする。これらの水溶液を検査用液として、予め工作物の漏水の浸入口と選定した不具合箇所やクラック面を、ブロック化にして１区画ごと赤、青、黄色の三原色の検査用液を高圧散水機を用いて、区画した漏水の選定箇所表面に散布する。その後、検査用液のカラーが、漏水の浸入口より浸透し躯体内部の亀裂を伝わり、工作物の下方部に流出する。流れだした可視化材料は、色べつに割り出し識別する特徴がある建築物およびコンクリート構造物の漏水検査工法。
【手続補正２】
【補正対象書類名】明細書
【補正対象項目名】請求項３
【補正方法】変更
【補正の内容】
【請求項３】
上記、工作物の漏水の選定箇所が複数あり、又面積が広い場合等ブロック化する１区画の面積は３．３（平方メートル）ごとに区切る。その際、他の区画ブロックとの境に、剥離が容易なペースト状のシールを塗布する。その上面に塩化ビニールの止水板を、立てて仕切り堰止めする。
漏水の選定箇所のブロック化。不具合箇所やクラック面は、１区画ごとに区切ることにより隣接する区画面に、他の検査用液の赤、青、黄色の三原色が互いに混じるのを、防ぐ特徴がある建築物およびコンクリート構造物の漏水検査工法。
【手続補正３】
【補正対象書類名】明細書
【補正対象項目名】請求項４
【補正方法】変更
【補正の内容】
【請求項４】
上記、工作物の漏水の選定箇所のブロック化、１区画ごとに散布する色の三原色は、漏水の浸入口より浸透し下方部に流れでる。色の三原色は、隣接する区画面より躯体内部の複数の亀裂を伝わり、互いに混じり、既存漏水部位から流出し色の変化を顕す。
躯体内部の複数の亀裂、漏水の水みち、流れの可視化材料は、互いに混じり合うことにより色の対比を見ることができる。即ち、色相環の赤紫、青緑、灰色の互いに混じった着色流体は色べつに、識別することができる特徴がある建築物およびコンクリート構造物の漏水検査工法。
【手続補正４】
【補正対象書類名】明細書
【補正対象項目名】００１２
【補正方法】変更
【補正の内容】
【００１２】
本発明は、以下の特徴を有する。本第１の発明は、可視化材料の食用タール色素を検査用液としていることである。先ず、建築物の不具合箇所やクラック面を、漏水の浸入口として選定しブロックごとに区切る。その後、ブロック化した１区画の漏水の選定箇所表面に色素（カラー）の検査用液を、高圧散水機を用いて散布する。その際、１区画ごとにブロック化することで漏水の浸入箇所の選定誤差を、小さくすることができて、検査精度を上げることができる。高圧散水機で散布した検査用液は、漏水の浸入口より浸透して躯体内部の亀裂を伝わり、建築物の下方部に流出する特徴がある検査工法である。


【手続補正５】
【補正対象書類名】明細書
【補正対象項目名】００１３
【補正方法】変更
【補正の内容】
【００１３】
本第２の発明は、可視化材料の食用タール色素は、色の三原色を用いて水溶液にする。これらの水溶液を検査用液として、予め建築物の漏水の浸入口と選定した不具合箇所やクラック面を、ブロック化にして１区画ごと赤、青、黄色の三原色の検査用液を高圧散水機を用いて、区画した漏水の選定箇所表面に散布する。その後、検査用液のカラーが漏水の浸入口より浸透し、躯体内部の亀裂を伝わり、建築物の下方部に流出する。流れだした可視化材料は、色べつに識別することで複数箇所の亀裂がある場合でも、浸入口と水みちを割り出すことができる検査工法である。


【手続補正６】
【補正対象書類名】明細書
【補正対象項目名】００１４
【補正方法】変更
【補正の内容】
【００１４】
本第３の発明は、建築物の漏水の選定箇所が複数ある場合、又は面積が広い場合、ブロック化する１区画の面積は３．３（平方メートル）ごとに区切る。その際、他の区画ブロックとの境に剥離ができるペースト状のシールを塗布する。その上面に塩化ビニールの止水板を立てて仕切り堰止めする。１区画ごとに堰止めすることで、隣接する区画面に他の検査用液の赤、青、黄色の三原色が互いに混じるのを防ぐ特徴がある検査工法である。


【手続補正７】
【補正対象書類名】明細書
【補正対象項目名】００１５
【補正方法】変更
【補正の内容】
【００１５】
本第４の発明は、建築物の漏水の選定箇所を、ブロック化にして１区画ごとに散布する色の三原色は、漏水の浸入口より浸透し下方部に流出する。色の三原色は、隣接する区画面より躯体内部の複数の亀裂を伝わり、互いに混じった場合でも既存漏水部位から流出する色の変化を見ることができる。躯体内部の複数の亀裂や、漏水の水みちを流れの可視化材料は、互いに混じり合うことにより色の対比も識別できる特徴がある。即ち、色相環の赤紫、青緑、灰色の互いに混じった着色流体の検査工法である。


【手続補正８】
【補正対象書類名】明細書
【補正対象項目名】００１９
【補正方法】変更
【補正の内容】
【００１９】
然し、本発明においては、図１の押えコンクリート２の面を、１区画３．３（平方メートル）ごとにブロック化にして区切り、その境に剥離ができるペースト状のシールを塗布し、その上面に塩化ビニールの止水板を立てて堰止めする。本発明の検査工法において、重要なことは、漏水の選定箇所を１区画ごとにブロック化することで、漏水の侵入箇所の選定誤差を小さくする特徴がある。従って、漏水の浸入口を確定する場合の精度を上げることができる検査工法である。さらに本発明は、複数の要素から構成されており、従来の技術等にはない工法を実施の形態にしている。


【手続補正９】
【補正対象書類名】明細書
【補正対象項目名】００２０
【補正方法】変更
【補正の内容】
【００２０】
さらに本発明の、建築物およびコンクリート構造物の漏水の検査工法について、実施の形態を説明する。
本発明の漏水の検査工法は、建築構造物の不具合箇所を、予めブロック化にして、１区画、面に所定の検査用液を高圧散水機を用いて散布する。検査用液は、漏水の浸入口である亀裂面より、浸透して躯体内部の亀裂を伝わり、建築物の下方部に流出する１つの局面により構成される。


【手続補正１０】
【補正対象書類名】明細書
【補正対象項目名】００２３
【補正方法】変更
【補正の内容】
【００２３】
より具体的には、食用タール系色素  商品名．ダイワ食用色素、食用赤色１０２号、食用青色１号、食用黄色４号（商標：ダイワ化成株式会社）から商品化されて市販されており容易に検査用液として製作することができる。


【手続補正１１】
【補正対象書類名】明細書
【補正対象項目名】００２５
【補正方法】変更
【補正の内容】
【００２５】
上記、図１のＣブロックの面に、可視化材料の黄色の検査用液を散布すると、コンクリート亀裂４から居室内に黄色の検査用液の流出がみられる。本発明に関わる漏水検査工法を説明するうえで、都合上、屋上平面の施工例にしているが、曲面部や、垂直面などの漏水検査の場合には、高圧散水機の吹き出しノズルに、検査用液が飛び散らないようにできる合成ゴムのアタッチメントを、取り付けることで飛散を防ぐことができる。また可視化材料の検査用液は、常温の水で約４００倍に希釈しており、建築物に付着させても塩素系の漂白剤と、水を併用して、容易に脱色ができて基材等に痕跡を残さないことが、発明者において実施されている。本発明の実施の形態に最も好適である可視化材料を、検査用液としている。


【手続補正１２】
【補正対象書類名】明細書
【補正対象項目名】００２７
【補正方法】変更
【補正の内容】
【００２７】
さらに本実施例では、図１の漏水の選定箇所をＡブロック、Ｂブロック、Ｃブロックごとに区切っており、Ｃブロックを選定箇所として、可視化材料の黄色の検査用液を高圧散水機で散布した。その後検査用液の可視化の黄色が、コンクリート構造物の躯体内部の亀裂を伝わり、既存漏水部位、図１の４コンクリートの亀裂を浸透して、居室内に流出する１つの局面を、可視化材料である黄色の検査用液で識別した。


【手続補正１３】
【補正対象書類名】明細書
【補正対象項目名】００２８
【補正方法】変更
【補正の内容】
【００２８】
上記、実施例のＣブロック面に、集中的に散布した可視化材料は黄色の検査用液であり、居室内で識別された１つの局面の配置を、Ｃブロックが描いた。即ち漏水位置の点と点で結ぶ流れの可視化である。
本実施例の構成要素は、漏水の選定箇所のブロック化であり、１区画ごとに散布する色の三原色は、漏水の浸入口より浸透して居室内に流れでる。実施例ではさらに隣接するＡブロック、Ｂブロックにそれぞれ赤・青の検査用液を散布した。


【手続補正１４】
【補正対象書類名】図面
【補正対象項目名】全図
【補正方法】変更
【補正の内容】
【図１】
2004354124.tif 000009
【図２】
2004354124.tif 000010
【図３】
2004354124.tif 000011
【図４】
2004354124.tif 000012
【図５】
2004354124.tif 000013
【図６】
2004354124.tif 000014